(57)【要約】【課題】本発明は、相手先通信装置からの着信が発生した場合には、利用者による操作負担を抑制しつつ、所望の連絡網情報の一部又は全部の内容を迅速に表示することを目的とする。【解決手段】本発明に係る通信装置は、メンバーが次の順番のメンバーに対して連絡を行うための連絡先と前記連絡先の連絡順番とが複数定められた連絡網情報を記憶する連絡網情報記憶部と、前記連絡網情報に含まれている前記連絡先からの着信が発生した場合には、前記連絡網情報の少なくとも一部である一部情報の内容を表示する表示部とを備える。【選択図】図２
2008099108.tif 000002
【特許請求の範囲】
【請求項１】
メンバーが次の順番のメンバーに対して連絡を行うための連絡先と前記連絡先の連絡順番とが複数定められた連絡網情報を記憶する連絡網情報記憶部と、
前記連絡網情報に含まれている前記連絡先からの着信が発生した場合には、前記連絡網情報の少なくとも一部である一部情報の内容を表示する表示部と
を備えることを特徴とする通信装置。
【請求項２】
前記一部情報は、前記通信装置の連絡先の次の連絡先である次連絡先を含むことを特徴とする請求項１に記載の通信装置。
【請求項３】
前記一部情報は、前記次連絡先よりもさらに次以降の連絡先を含むことを特徴とする請求項２に記載の通信装置。
【請求項４】
発信先の通信装置の連絡先である発信連絡先を含む発信履歴を記憶する連絡網情報記憶部と、         
前記発信履歴の中からいずれかの発信連絡先を選択する選択部とを備えており、
前記表示部は、選択された前記発信連絡先を含む前記連絡網情報の少なくとも一部を表示することを特徴とする請求項１に記載の通信装置。
【請求項５】
メンバーが次の順番のメンバーに対して連絡を行うための連絡先と前記連絡先の連絡順番とが複数定められた連絡網情報を記憶するステップと、
前記連絡網情報に含まれている前記連絡先からの着信が発生した場合には、前記連絡網情報の少なくとも一部である一部情報の内容を表示する表示ステップと
を備えることを特徴とする表示制御方法。
【請求項６】
前記一部情報は、前記通信装置の連絡先の次の連絡先である次連絡先を含むことを特徴とする請求項５に記載の表示制御方法。
【請求項７】
前記一部情報は、前記次連絡先よりもさらに次以降の連絡先を含むことを特徴とする請求項６に記載の表示制御方法。
【請求項８】
発信先の通信装置の連絡先である発信連絡先を含む発信履歴を記憶するステップと、
前記発信履歴の中からいずれかの発信連絡先を選択するステップとを備えており、
前記表示ステップは、選択された前記発信連絡先を含む前記連絡網情報の少なくとも一部を表示することを特徴とする請求項５に記載の表示制御方法。
【発明の詳細な説明】
【技術分野】
【０００１】
本発明は、相手先通信装置との間で音声、又は電子メールなどの情報を送受信するものであり、当該相手先通信装置の連絡先を表示する通信装置及び表示制御方法に関する。
【背景技術】
【０００２】
従来から、携帯電話機などの通信装置は、小中学校、同窓会又は愛好会などにおける活動等を関係者に連絡するための連絡先が複数順番に配列された連絡網情報（いわゆる、連絡網）を記憶している（例えば、特許文献１参照）。
【０００３】
例えば、学校から緊急連絡を受けたＡさんは、連絡網情報を参照して次のＢさんの連絡先を特定し、特定した連絡先に電話を掛ける。このように通信装置の利用者（以下、単に「利用者」と称する）は、連絡網情報が印字された紙を探して次の者の連絡先を特定するのではなく、身近にある通信装置の画面に連絡網情報を表示させて次の者の連絡先を特定するため、当該次の者に対して迅速に連絡をすることができる。
【０００４】
ここで、上記利用者は、検索キーワード等を入力することにより特定の連絡網情報（例えば、○○小学校連絡網）を表示させた後に、ボタンの押圧操作を繰り返して当該特定の連絡網情報に含まれている所望の連絡先を表示させている。
【特許文献１】特開平１１−２８４７００号公報
【発明の開示】
【発明が解決しようとする課題】
【０００５】
しかしながら、上記利用者は、ある連絡先から緊急連絡等の情報を受けた場合にも、所定操作（検索キーワードの入力操作など）をしなければ特定の連絡網情報が表示されない。このため、上記利用者は、当該特定の連絡網情報に含まれている次の者の連絡先を探すまでに操作上の手間が掛かっていた。
【０００６】
そこで、本発明は以上の点に鑑みて成されたものであり、相手先通信装置からの着信が発生した場合には、利用者による操作負担を抑制しつつ、所望の連絡網情報の一部又は全部の内容を迅速に表示することができる通信装置及び表示制御方法を提供することを目的とする。
【課題を解決するための手段】
【０００７】
上記課題を解決するために、本発明の第１の特徴は、メンバーが次の順番のメンバーに対して連絡を行うための連絡先と連絡先の連絡順番とが複数定められた連絡網情報を記憶する連絡網情報記憶部と、連絡網情報に含まれている連絡先からの着信が発生した場合には、連絡網情報の少なくとも一部である一部情報の内容を表示する表示部とを備えることを要旨とする。
【０００８】
かかる特徴によれば、通信装置は、連絡網情報記憶部に記憶されている連絡先である特定連絡先からの着信が発生した場合には、利用者からの入力操作に関わらず、当該特定連絡先を含む連絡網情報の一部又は全部の内容を表示する。このため、通信装置は、相手先通信装置からの着信が発生した場合には、利用者による操作負担を抑制しつつ、所望の連絡網情報の一部又は全部の内容を迅速に表示することができる。
【０００９】
本発明の第２の特徴は、一部情報が、通信装置の連絡先の次の連絡先である次連絡先を含むことを要旨とする。
【００１０】
本発明の第３の特徴は、一部情報が、次連絡先よりもさらに次以降の連絡先を含むことを要旨とする。
【００１１】
本発明の第４の特徴は、発信先の通信装置の連絡先である発信連絡先を含む発信履歴を記憶する発信履歴記憶部と、発信履歴の中からいずれかの発信連絡先を選択する選択部とを備えており、表示部が、選択された発信連絡先を含む連絡網情報の少なくとも一部を表示することを要旨とする。
【発明の効果】
【００１２】
本発明の特徴によれば、他の通信装置から情報を受信した場合には、利用者による操作負担を抑制しつつ、所望の連絡網情報の内容を迅速に表示することができる。
【発明を実施するための最良の形態】
【００１３】
（通信装置の構成）
本実施形態について図面を参照しながら説明する。図１は、本実施形態における通信装置１００の外観を示す図である。
【００１４】
図１に示すように、通信装置１００は、通信装置１００と相手先通信装置との間で音声、又は電子メールなどの情報を送受信するものであり、相手先通信装置の連絡先などを表示する。通信装置１００は、キー１１１,１１２と、表示部１２０とを備えている。なお、通信装置１００は、携帯型を例にして説明するが、これに限定されずに据置型であってもよいのは勿論のことである。
【００１５】
キー１１１は、マトリックス状に配置されており、情報の入力操作を受け付ける。キー１１２は、例えば、電話帳に連絡先を登録するための電話帳登録機能、電話帳から所望の連絡先を検索するための電話帳検索機能などの機能を選択するための入力操作を受け付ける。表示部１２０は、情報を表示する。
【００１６】
次に、本実施形態における通信装置１００の内部構成について図２を参照しながら説明する。
【００１７】
図２に示すように、通信装置１００は、キー１１１，１１２と、制御部１１３と、ＲＡＭ１１４と、ＲＯＭ１１５と、通信部１１６と、カメラ１１７と、音声出力部１１８と、集音部１１９と、表示部１２０と、バッテリー１２１とを備えている。これらの各部は、ＢＵＳ１２２により接続されている。なお、キー１１１，１１２、表示部１２０は、上述で説明した通りである。
【００１８】
制御部１１３は、ＲＡＭ１１４に記憶されている連絡先である特定連絡先からの着信が発生した場合には、特定連絡先を含む連絡網情報の少なくとも一部である一部情報の内容を表示部１２０に表示する（後述する図４及び図７参照）。本実施形態における着信には通信装置間の通信路の設定を実行するための呼、又は電子メールなどの情報の受信などが含まれている。又、発信には呼又は電子メールなどの情報の送信などが含まれている。なお、制御部１１３及び表示部１２０は表示部を構成する。
【００１９】
制御部１１３は、発信先の通信装置の連絡先である発信連絡先を含む発信履歴の中から、いずれかの発信連絡先を選択する。制御部１１３は、選択した発信連絡先を含む連絡網情報の少なくとも一部を表示部１２０に表示する（後述する図４及び図１１参照）。なお、制御部１１３は、選択部を構成する。
【００２０】
ＲＡＭ１１４は、制御部１１３により処理されるデータを一時的に格納する。具体的には、ＲＡＭ１１４は、上記発信履歴、後述する連絡網情報などを格納する。なお、ＲＡＭ１１4は、発信履歴記憶部及び連絡網情報記憶部を構成する。ＲＡＭ１１４には、一般的に不揮発性のＲＡＭが用いられる。ＲＯＭ１１５は、通信装置１００を動作させるためのプログラムを格納する。
【００２１】
ここで、図３は、本実施形態における連絡網情報の内容を示す図である。連絡網情報は、メンバーが次の順番のメンバーに対して連絡を行うための連絡先と当該連絡先の連絡順番とが複数定められた情報である。
【００２２】
例えば、図３に示すように、連絡網情報は、連絡網名（例えば、○○小学校連絡網）と、複数の連絡先情報とを含んでいる。本実施形態における連絡網情報は、連絡網情報の名称（ここでは連絡網名）毎にＲＡＭ１４に記憶されている。
【００２３】
連絡先情報には、連絡網に属するメンバーの名称（例えば、Ａ氏）、当該メンバーの電話番号又はメールアドレス等の連絡先、当該連絡先の連絡順序（例えば、ＮＯ．１）が含まれている。
【００２４】
通信部１１６は、通信装置１００と相手先通信装置との間で情報を送受信する。カメラ１１７は、被写体を撮影するものであり、ＣＣＤカメラなどが挙げられる。
【００２５】
音声出力部１１８は、相手先通信装置から受信された音情報（例えば、音声、楽曲など）を出力する。集音部１１９は、通信装置１００の周辺の音情報を取得する。バッテリー１２１は、通信装置１００を構成する各部に電源を供給する。
【００２６】
（通信装置の動作）
次に、本実施形態における通信装置１００の動作について図４を参照しながら説明する。
【００２７】
図４に示すように、Ｓ１０１において、通信装置１００は、各メニューの中から、連絡先又は連絡網情報を登録する処理を実行するためのメニューである「電話帳登録」が選択されたか否か判定する。また、通信装置１００は、この判定がＹＥＳである場合にはＳ１０３の処理に移り、ＮＯである場合にはＳ１０５の処理に移る。
【００２８】
Ｓ１０３において、通信装置１００は、連絡先又は連絡網情報を登録する電話帳登録処理を実行する（後述する図５参照）。
【００２９】
Ｓ１０５において、通信装置１００は、相手先通信装置からの着信が発生したか否か判定する。また、また、通信装置１００は、この判定がＹＥＳである場合にはＳ１０７の処理に移り、ＮＯである場合にはＳ１０９の処理に移る。
【００３０】
Ｓ１０７において、通信装置１００は、連絡網情報の一部又は全部を表示する連絡網情報表示処理を実行する（後述する図７参照）。
【００３１】
Ｓ１０９において、通信装置１００は、各メニューの中から、連絡先又は連絡網情報の検索方法を選択するためのメニューである「電話帳検索」が選択されたか否か判定する。また、通信装置１００は、この判定がＹＥＳである場合にはＳ１１０の処理に移り、ＮＯである場合にはＳ１１３の処理に移る。
【００３２】
Ｓ１１０において、通信装置１００は、連絡先又は連絡網情報を検索する電話帳検索処理を実行する（後述する図９参照）。
【００３３】
Ｓ１１３において、通信装置１００は、各メニューの中から、着信時における発信元の通信装置の連絡先である着信連絡先を含む着信履歴を表示するためのメニューを示す「着信履歴」、又は発信先の通信装置の連絡先である発信連絡先を含む発信履歴を表示するためのメニューを示す「発信履歴」が選択されたか否か判定する。また、通信装置１００は、この判定がＹＥＳである場合にはＳ１１５の処理に移り、ＮＯである場合にはＳ１１７の処理に移る。
【００３４】
Ｓ１１５において、通信装置１００は、着信履歴又は発信履歴に含まれている連絡先が選択された場合には、選択された連絡先を含む連絡網情報を検索する履歴検索処理を実行する（後述する図１１参照）。
【００３５】
Ｓ１１７において、通信装置１００は、上記各処理以外のその他の処理を実行する。
【００３６】
次に、上記Ｓ１０３の電話帳登録処理について図５を参照しながら説明する。図６は、連絡先が登録されるまでの一連の画面内容を示す図である。
【００３７】
図５に示すように、Ｓ１０３−１において、通信装置１００は、図６（ａ）に示す電話帳メニューが表示されている場合には、連絡網情報を登録するためのメニューである「連絡網情報登録」が選択されたか否か判定する（図６（ｂ）参照）。また、通信装置１００は、この判定がＹＥＳである場合にはＳ１０３−３の処理に移り、ＮＯである場合にはＳ１０３−１３の処理に移る。
【００３８】
Ｓ１０３−３において、通信装置１００は、連絡網情報を登録するための画面内容を表示する。例えば、図６（ｃ）及び（ｄ）に示すように、通信装置１００は、連絡網情報の名称（例えば、○○小学校連絡網）を入力するための欄（図中の６Ｃ１）、連絡順番に対応する氏名（例えば、Ａ氏）及び連絡先（例えば、０９０−××××−××××）を入力するための欄（図中の６Ｃ２，６Ｃ３）などを表示する。
【００３９】
Ｓ１０３−５において、通信装置１００は、上記各欄への情報の入力を受け付ける。
【００４０】
Ｓ１０３−７において、上記各欄に入力された情報を連絡網情報（連絡網名、連絡順番、氏名、連絡先など）として登録するための入力操作が実行されたか否か判定する。また、通信装置１００は、この判定がＹＥＳである場合にはＳ１０３−９の処理に移り、ＮＯである場合にはＳ１０３−１１の処理に移る。
【００４１】
Ｓ１０３−９において、通信装置１００は、上記各欄に入力された情報を連絡網情報として「連絡網電話帳」に登録（記憶）する。例えば、通信装置１００は、連絡網情報の名称毎（例えば、学校名毎）に連絡網情報を登録する。
【００４２】
Ｓ１０３−１１において、通信装置１００は、電話帳登録処理を終了するための入力操作が実行されたか否か判定する。また、通信装置１００は、この判定がＹＥＳである場合には電話帳登録処理を終了し、ＮＯである場合にはＳ１０３−５からの処理を繰り返す。
【００４３】
Ｓ１０３−１３において、通信装置１００は、図１３（ｂ）に示す「個人登録」が選択された場合には、連絡網情報以外の連絡先情報（個人、法人の名称、連絡先等）を「個人電話帳」に登録するための個人登録処理を実行する。個人登録処理は上記Ｓ１０３−５乃至Ｓ１０３−１１の処理と同じであるため、ここでの詳細な説明は省略する。
【００４４】
次に、上記Ｓ１０７の連絡網情報表示処理について図７を参照しながら説明する。図７に示すように、Ｓ１０７−１において、通信装置１００は、相手先通信装置からの着信が発生した場合には、当該相手先通信装置の連絡先である特定連絡先がＲＯＭ１１５に記憶された連絡網情報に含まれているか否か判定する。また、通信装置１００は、この判定がＹＥＳである場合にはＳ１０７−３の処理に移り、ＮＯである場合にはＳ１０７−５の処理に移る。
【００４５】
Ｓ１０７−３において、通信装置１００は、上記特定連絡先を含む連絡網情報の一部又は全部である一部情報の内容を表示する。
【００４６】
Ｓ１０７−５において、通信装置１００は、個人、法人などの名称、電話番号などを検索キーワードとして連絡先を検索するための個人検索処理を実行する。個人検索処理は後述する上記Ｓ１１０−３乃至Ｓ１１０−１１の処理と同じであるため、ここでの詳細な説明は省略する（後述する図１０参照）。
【００４７】
ここで、本実施形態では、連絡網情報の表示パターンとして図８を参照しながらパターン１乃至パターン３を例にして説明する。
【００４８】
＜パターン１＞
図８（ａ）に示すように、通信装置１００は、上記一部情報の内容を表示する。
【００４９】
＜パターン２＞
図８（ｂ）に示すように、通信装置１００は、通信装置１００の連絡先の次の連絡先である次連絡先を含む一部情報の内容を表示する。例えば、通信装置１００の所有者がＦ氏であり、連絡網情報においてそのＦ氏の次の者がＧ氏である場合には、通信装置１００は、当該Ｇ氏の連絡先（次連絡先）を含む一部情報の内容を表示する。
【００５０】
なお、図８（ｂ）に示すように、通信装置１００は、次連絡先を先頭に表示してもよい。この場合には、次連絡先が先頭に表示されることにより、通信装置１００の利用者は、次に連絡すべき者を即座に把握することができる。
【００５１】
なお、図８（ｂ）に示すように、通信装置１００は、次連絡先よりも次以降の連絡先（例えば、Ｈ氏、Ｉ氏の連絡先）を表示してもよい。この場合には、次連絡先よりも次以降の連絡先が表示されることにより、利用者は、次連絡先の者が電話に出ない場合には、更に次の連絡先に電話を掛けることができる。
【００５２】
なお、図８（ｂ）に示すように、通信装置１００は、次連絡先にカーソルを表示させて、当該カーソルに対応する次連絡先が選択された場合には当該次連絡先への発信処理を実行してもよい。
【００５３】
この場合には、次連絡先にはカーソルが表示されているため、利用者は、当該カーソルに対応する次連絡先を選択するための入力操作を行うだけで、当該次連絡先の通信装置に電話が掛けられることとなり、当該次連絡先に対応する者に緊急連絡などの内容をより迅速に伝えることができる。
【００５４】
＜パターン３＞
図８（ｃ）に示すように、通信装置１００は、通信装置１００に関する装置情報（例えば、「−*（自分）−」などの情報）と、その装置情報に付与されている連絡順番に対して前後の連絡順番に対応する連絡先とを含む一部情報の内容を表示する。
【００５５】
例えば、装置情報に付与されている連絡順番がＮＯ．６である場合には、通信装置１００は、そのＮＯ．６に対して前後の連絡順番であるＮＯ．５及びＮＯ．７を特定する。通信装置１００は、当該装置情報と、特定したＮＯ．５及びＮＯ．７に対応する連絡先とを含む一部情報の内容を表示する。
【００５６】
次に、上記Ｓ１１０の電話帳検索処理について図９を参照しながら説明する。図１０は、検索キーワードに対応する連絡網情報の内容が表示されるまでの一連の画面内容を示す図である。
【００５７】
図９に示すように、Ｓ１１０−１において、通信装置１００は、図１０（ａ）に示す「電話帳検索」に含まれている「連絡網情報検索」が選択されたか否か判定する。また、通信装置１００は、この判定がＹＥＳである場合にはＳ１１０−３の処理に移り、ＮＯである場合にはＳ１１０−１３の処理に移る。
【００５８】
Ｓ１１０−３において、通信装置１００は、連絡網情報の検索方法を選択するための画面内容を表示する。例えば、図１０（ｂ）に示すように、通信装置１００は、連絡網情報の名称を検索キーワードとして該当する連絡網情報を検索するためのメニューである「名称検索」、連絡先を検索キーワードとして該当する連絡網情報を検索するためのメニューである「電話番号検索」等を表示する。
【００５９】
Ｓ１１０−５において、通信装置１００は、所定の検索方法が選択された場合には、検索キーワードを入力するための欄を表示する。例えば、図１０（ｃ）に示すように、選択された検索方法が「名称検索」である場合には、通信装置１００は、「名称？」を表示し、当該「名称？」に対応する検索キーワード（例えば、○○小学校連絡網）を入力するための欄を表示する（図中の１０Ｃ１）。なお、Ｓ１１０−５において、通信装置１００は、所定の検索方法が選択された場合には、予め入力された連絡網情報を元に、検索キーワードを選択するための選択候補を表示してもよい。
【００６０】
Ｓ１１０−７において、通信装置１００は、入力された検索キーワードに対応する連絡網情報を検索する。
【００６１】
Ｓ１１０−９において、通信装置１００は、検索された連絡網情報を検索し、検索した連絡網情報の一部又は全部である一部情報の内容を表示する（図１０（ｄ）参照）。通信装置１００は、キー１１２を介して、「↑」又は「↓」の選択が繰り返されることにより、未だ表示されていない連絡先を順次表示する（図１０（ｅ）参照）。
【００６２】
通信装置１００は、連絡順番に対応する連絡先が通信装置１００の連絡先である場合には、その連絡先を表示させてもよいし、上記装置情報（例えば、「−*（自分）−」などの情報）を表示させてもよい（図１０（ｅ）参照）。
【００６３】
Ｓ１１０−１１において、通信装置１００は、電話帳検索処理を終了するための入力操作が実行されたか否か判定する。また、通信装置１００は、この判定がＹＥＳである場合には電話帳検索処理を終了し、ＮＯである場合にはＳ１１０−５からの処理を繰り返す。
【００６４】
Ｓ１１０−１３において、通信装置１００は、図１０（ａ）に示す「個人検索」が選択された場合には、個人、法人などの名称、電話番号などを検索キーワードとして連絡先を検索するための個人検索処理を実行する。個人検索処理は上記Ｓ１１０−３乃至Ｓ１１０−１１の処理と同じであるため、ここでの詳細な説明は省略する。
【００６５】
なお、Ｓ１１０の連絡網情報検索について図９及び図１０を参照しながら説明したが、連絡網情報検索方法は、上記した方法に限定されるものではない。
【００６６】
次に、上記Ｓ１１５の履歴検索処理について図１１を参照しながら説明する。図１２は、着信履歴又は発信履歴に含まれている連絡先が選択された場合に、選択された連絡先を含む連絡網情報の内容が表示されるまでの一連の画面内容を示す図である。
【００６７】
図１１に示すように、Ｓ１１５−１において、通信装置１００は、「着信履歴」又は「発信履歴」のメニューが選択された場合には、「着信履歴」又は「発信履歴」の内容を表示する（図１２（ａ）及び（ｂ）参照）。
【００６８】
Ｓ１１５−３において、通信装置１００は、着信履歴又は発信履歴の内容の中から、連絡先が選択された場合には、選択された連絡先が「連絡網電話帳」及び「個人電話帳」に登録されているか否か判定する。また、通信装置１００は、この判定がＹＥＳである場合にはＳ１１５−５の処理に移り、ＮＯである場合には履歴検索処理を終了する。
【００６９】
Ｓ１１５−５において、通信装置１００は、「個人電話帳」を表示するための選択情報である「個人電話帳表示」、及び「連絡網電話帳」を表示するための選択情報である「連絡網電話帳表示」のうちのいずれかを選択させる画面内容を表示する（図１２（ｃ）参照）。
【００７０】
Ｓ１１５−７において、通信装置１００は、「連絡網電話帳表示」が選択されたか否か判定する。また、通信装置１００は、この判定がＹＥＳである場合にはＳ１１５−９の処理に移り、ＮＯである場合にはＳ１１５−１１の処理に移る。
【００７１】
Ｓ１１５−９において、通信装置１００は、上記図９に示す処理Ａを実行する。なお、Ｓ１１５−９において、通信装置１００は、Ｓ１１０−３乃至Ｓ１１０−７の処理を実行することなく、Ｓ１１０−９において一部情報の内容を即座に表示してもよい。
【００７２】
Ｓ１１５−１１において、通信装置１００は、上記図９に示すＳ１１０−１３の処理を実行する。
【００７３】
かかる特徴によれば、通信装置１００は、登録後の連絡網情報に含まれている連絡先である特定連絡先からの着信が発生した場合には、通信装置１００の利用者からの入力操作を伴わずに、当該特定連絡先を含む連絡網情報の一部又は全部の内容を表示する。このため、通信装置１００は、特定連絡先からの着信が発生した場合には、利用者による操作負担を抑制しつつ、所望の連絡網情報の内容を迅速に表示することができる。
【００７４】
また、着信履歴又は発信履歴に含まれる連絡先が選択され、当該連絡先が連絡網情報に含まれている場合には、当該連絡先を含む連絡網情報の一部又は全部の内容が表示される。
【００７５】
これにより、通信装置１００の利用者は、連絡網情報における自己の前の者の連絡先が着信履歴又は発信履歴に含まれている場合には、着信履歴又は発信履歴の内容から、当該前の者の連絡先を含む連絡網情報の一部又は全部の内容を迅速に表示させることができる。
【００７６】
（その他の実施形態）
以上、本発明の一例を説明したが、具体例を例示したに過ぎず、特に本発明を限定するものではなく、各部の具体的構成等は、適宜設計変更可能である。
【００７７】
例えば、図３に示した連絡網情報には、複数の連絡網が含まれてもよい。具体的には、図１３に示すように、○○小学校の役員連絡網の中に、各地区の子供会の連絡網を含めることができる。図１３は、□□地区の役員であるＤ氏の連絡網情報を示している。当該連絡網情報では、まず、○○小学校から、○○地区の役員であるＡ氏に連絡されることが示されている。次いで、△○地区の役員であるＢ氏、△△地区の役員であるＣ氏、□□地区の役員であるＤ氏に順次連絡されることが示されている。
【００７８】
○○小学校の役員連絡網にしたがって△△地区の役員であるＣ氏から連絡を受けたＤ氏は、□□地区子供会連絡網にしたがって□□地区子供会の該当者（例えば、ａａ氏）に連絡することができる。
【００７９】
また、本人以外の役員（例えば、Ｃ氏）の地区子供会の連絡網をさらに含めてもよい。つまり、複数の連絡網を関連付けることによって、○○小学校の連絡網全体を構成することができる。このため、各地区の役員名から当該地区内の連絡網を検索することが可能となる。
【００８０】
また、上述した実施形態の構成及び各変更例の構成もそれぞれ組み合わせることが可能である。さらに、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００８１】
【図１】本実施形態における通信装置を示す外観図である。
【図２】本実施形態における通信装置の内部構成を示す図である。
【図３】本実施形態における連絡網情報の内容を示す図である。
【図４】本実施形態における通信装置の動作手順を示す図である。
【図５】本実施形態における電話帳登録処理の動作手順を示す図である。
【図６】本実施形態における連絡先が登録されるまでの一連の画面内容を示す図である。
【図７】本実施形態における連絡網情報表示処理の動作手順を示す図である。
【図８】本実施形態における一部情報の内容を示す図である。
【図９】本実施形態における電話帳検索処理の動作手順を示す図である。
【図１０】本実施形態における連絡網情報の内容が表示されるまでの一連の画面内容を示す図である。
【図１１】本実施形態における履歴検索処理の動作手順を示す図である。
【図１２】本実施形態における着信履歴又は発信履歴の連絡先を含む連絡網情報の内容が表示されるまでの一連の画面内容を示す図である。
【図１３】変更例における連絡網情報の内容を示す図である。
【符号の説明】
【００８２】
１００…通信装置、１１１,１１２…キー、１１３…制御部、１１４…ＲＡＭ、１１５…ＲＯＭ、１１６…通信部、１１７…カメラ、１１８…音声出力部、１１９…集音部、１２０…表示部、１２１…バッテリー、１２２…ＢＵＳ
【図１】
2008099108.tif 000003
【図２】
2008099108.tif 000004
【図３】
2008099108.tif 000005
【図４】
2008099108.tif 000006
【図５】
2008099108.tif 000007
【図６】
2008099108.tif 000008
【図７】
2008099108.tif 000009
【図８】
2008099108.tif 000010
【図９】
2008099108.tif 000011
【図１０】
2008099108.tif 000012
【図１１】
2008099108.tif 000013
【図１２】
2008099108.tif 000014
【図１３】
2008099108.tif 000015